【事件の表示】
　上記当事者間の登録第５１５９０７５号商標及び登録第５１７２９０５号商標の商標登録無効審判事件について、審理の併合のうえ、次のとおり審決する。
【結　論】
　登録第５１５９０７５号及び登録第５１７２９０５号商標の登録を無効とする。
　審判費用は被請求人の負担とする。
【理　由】
第１　無効請求に係る商標
１　無効２００９−８９００８３号事件に係る登録第５１５９０７５号商標（以下「本件商標１」という。）は、別掲（１）のとおり、「ＳＷＡＭＰ　ＴＯＵＲＳ」の欧文字と「スワンプツァーズ」の片仮名文字を二段に書してなり、平成１８年１月２７日に登録出願、第１８類「札入れ，革製かばん，バックパック，通学用かばん，かばん類，革製スーツケース，キャリーバッグ，スーツケース，ハンドバッグ，買物袋，ブリーフケース，トランク，旅行かばん，登山用ザック，キーケース，携帯用化粧道具入れ，旅行用小型手提げかばん，車付き買物袋，スポーツバッグ，袋物」を指定商品として、同２０年６月２０日に登録すべき旨の審決がされ、同年８月１５日に設定登録され、現に有効に存続している。
　　
２　無効２００９−８９００８４号事件に係る登録第５１７２９０５号商標（以下「本件商標２」という。）は、別掲（１）のとおり、「ＳＷＡＭＰ　ＴＯＵＲＳ」の欧文字と「スワンプツァーズ」の片仮名文字を二段に書してなり、平成１８年１月２７日に登録出願、第２８類「ゴルフボール，ゴルフクラブ用シャフト，ゴルフティー，ゴルフクラブ用ヘッド，ゴルフクラブ用ヘッドカバー，ゴルフクラブのグリップ用プラスチックカバー，グリーンマーカー，キャディーバッグ，ゴルフ手袋，ゴルフクラブ用グリップ，ゴルフクラブ，ゴルフ用具，運動用具」を指定商品として、同２０年９月１９日に登録すべき旨の査定がされ、同年１０月１０日に設定登録され、現に有効に存続している。
　
　以下、審理を併合した商標を一括していうときは、「本件各商標」という。
　また、審理を併合した審判事件を一括していうときは、「本件各審判」という。
　
第２　請求人の主張
　請求人は、結論同旨の審決を求めると申し立て、その理由を要旨次のように述べ、証拠方法として、甲第１号証ないし甲第２１号証を提出した。
１　引用商標
（１）請求人「スワンプ　プロダクションズ　ピーティーワイ　リミテッド」（以下「スワンプ」という。）は、別掲（２）の構成よりなる商標（以下「引用商標１」という。）を「漫画のタイトル」に使用している。
　
（２）請求人「明石被服興業株式会社」（以下「明石被服興業」という。）は、「ＳＷＡＭＰ　ＴＯＵＲＳ」の欧文字よりなる商標（以下「引用商標２」という。）を「女性用ゴルフウェア、ゴルフバッグ、ポーチ、ボストンバッグ、シューズケース、小物入れ、チョークバッグ、ウエストポーチ、ゴルフクラブ用ヘッドカバー、ゴルフボールホルダー、グリーンマーカー、キャディーバッグ」に使用している。
　
　以下、引用商標１及び引用商標２を一括していうときは、「引用各商標」という。
　
２　請求の利益について
　スワンプは、オーストラリア国在住の漫画家ゲーリー・クラークが代表を務める会社であり、同人が描く新聞連載漫画「ＳＷＡＭＰ　ＴＯＵＲ」（以下「当該漫画」という。）等の著作物を管理している。
　スワンプは、明石被服興業と、我が国におけるゲーリー・クラークの著作物の利用許諾契約を締結している。
　また、スワンプは、別掲（３）のとおり、「ＳＷＡＭＰ　ＴＯＵＲＳ」の欧文字と「スワンプツァーズ」の片仮名文字を二段に書してなり、被服等を指定商品とする登録第３３６８６６５号商標の商標権者である（甲第３号証及び甲第４号証）。
　スワンプは、平成１８年４月１７日に、「スワンプツァーズ」の片仮名文字と「ＳＷＡＭＰ　ＴＯＵＲＳ」の欧文字を二段に書してなる商標を、商品及び役務の区分第１８類及び第２８類に登録出願（商願２００６−３５１１５号）したところ、本件各商標を引用され、商標法第４条第１項第１１号に該当するとして拒絶査定を受けた（甲第５号証）。
　したがって、スワンプは、本件各審判について重大な利害関係を有しているから、請求の利益を有する。
　一方、明石被服興業は、スワンプから、著作物の利用許諾及び上記登録第３３６８６６５号に係る商標権の使用許諾を受けて、１９９６年８月頃から、商標「ＳＷＡＭＰ　ＴＯＵＲＳ」を使用した「女性用ゴルフウェア、ゴルフバッグ、ポーチ、ボストンバッグ、チョークバッグ、ウエストポーチ、ゴルフクラブ用ヘッドカバー、ゴルフボールホルダー、グリーンマーカー、キャディーバッグ」等を製造販売している。
　上記商品中、ボストンバッグ等は、ゴルフなど運動専用品ではないために、本件商標１の指定商品に含まれるものである。
　また、上記商品中、ゴルフクラブ用ヘッドカバー、ゴルフボールホルダー、グリーンマーカー、キャディーバック等は、ゴルフなど運動専用品であるから、本件商標２の指定商品に含まれるものである。
　したがって、明石被服興業も、本件各審判について重大な利害関係を有しているから、請求の利益を有する。
　　　　　　
３　「ＳＷＡＭＰ　ＴＯＵＲＳ」について
　「ＳＷＡＭＰ」の語は、「低湿地、沼地」の意味を有する英単語であり、「ＴＯＵＲＳ」の語は、「小旅行、周遊、観光旅行、ツアー」の意味を有する英単語であるが、両語を組み合わせた「ＳＷＡＭＰ　ＴＯＵＲＳ」又は「スワンプツァーズ」の各語は、いずれも英和辞典等に掲載されていない造語的な言葉であるといえる。
　　
４　スワンプと引用商標１について
　スワンプの代表者ゲーリー・クラークは、前記２で述べたように、オーストラリア国在住の漫画家である。
　彼が少年時代を過ごしたオーストラリア国ブリスベンの干潟や小川をモデルとし、沼地に生きる様々な動物達が繰り広げるエピソードを描いた当該漫画は、１９８１年に、同国クイーンズランド州における地域新聞にはじめて掲載された。
　その後、当該漫画は、オーストラリア国における主要な３１の新聞紙に掲載されるようになり、隣国ニュージーランドのほか、スウェーデンの著名な雑誌「Ｋｎａｓｅｎ」に掲載されるなどヨーロッパ各国においても愛読されるようになった。
　我が国においても、２００５年３月に、当該漫画の日本語版が発行されている（甲第９号証）。
　当該漫画のキャラクターは、オーストラリア航空協会のマスコット・キャラクター、オーストラリア国政府広報、同国の学校教材等にも採用されている。
　しかして、引用商標１は、当該漫画のタイトルである。
　　　　　　
５　明石被服興業と引用商標２について
　明石被服興業が製造販売する商品は、１９９６年８月頃から現在に至るまで全国各地のゴルフ場におけるクラブハウス内の用品ショップにおいて販売されているほか、京王聖蹟桜ケ丘ショッピングセンター、函館大沼プリンスホテル、広島天満屋、姫路ヤマトヤシキ百貨店、星ケ丘三越、京都高島屋、神戸大丸百貨店、銀座松坂屋など全国の百貨店や、インターネット上の楽天市場に開設されたオンラインショップ等で販売され、おしゃれでかわいいゴルフ用品として好評を博しており、ゴルフ専門雑誌等においても頻繁に商品紹介がなされている。ちなみに、インターネットにて「スワンプツァーズ」の語を検索（Ｇｏｏｇｌｅ）すると、明石被服興業の製造販売に係る各種商品が、多数ヒットする（甲第１０号証ないし甲第２１号証）。
　　
６　具体的無効理由
（１）商標法第４条第１項第７号について
　本件各商標と引用商標１とを対比すると、「スワンプツアーズ」の片仮名文字の有無の他に、欧文字部分の語尾における「Ｓ」の有無が認められるところ、一般に、英単語ないし英熟語において、末尾における「Ｓ」は、複数形であることを表すにすぎない。
　したがって、本件各商標と引用商標１は、相紛らわしく明確には判別しづらいというべきである。
　しかも、当該漫画では、語尾に「Ｓ」を伴う「ＳＷＡＭＰ　ＴＯＵＲＳ」の語が使用されている箇所も少なからず認められる（例えば、甲第７号証におけるボート部分の表示）。
　確かに、新聞紙上において日々連載されているオーストラリア国等と異なり、我が国のみについていえば当該漫画の認知度は未だ高くないから、本件各商標や引用商標１から直ちに当該漫画のタイトルを認識する者はさほど多くないかもしれない。
　しかし、商標法第４条第１項第７号は、客観的に公正な取引秩序の維持を図るため、国際信義に反する商標の登録排除も目的としている。
　本件各商標の登録出願当時、本件各商標に酷似している引用商標１は、すでに、オーストラリア国やニュージーランド国、そしてヨーロッパ各国において愛読されている漫画のタイトルであったこと、他方、「ＳＷＡＭＰ　ＴＯＵＲ」又は「ＳＷＡＭＰ　ＴＯＵＲＳ」は辞書等に掲載されていない造語的な商標であって、スワンプらと無関係な被請求人が、我が国において、引用商標１に酷似した本件各商標を偶然に採択・使用する蓋然性は極めて薄いこと、そして後述するように、我が国においてはすでに１０年前から同漫画に係る著作権の利用許諾を得た明石被服興業が引用商標２を使用したゴルフ用品類を広く販売しているライセンスビジネスが実在していたこと等々に照らせば、当該漫画の著作者らと何ら関係のない者に、当該漫画のタイトルたる引用商標１に酷似した本件各商標を自己の商標として採択・使用することを許すことは、明らかに国際信義に反する結果を招来することになる。
　よって、本件各商標は、商標法第４条第１項第７号に違反して登録されたものである。
　　
（２）商標法第４条第１項第１０号について
　明石被服興業が使用している引用商標２は、女性用ゴルフウェアを主たる使用商品としているが、ポーチ、ボストンバッグ、シューズケース、小物入れ、チョークバッグ、ウエストポーチ、ゴルフクラブ用ヘッドカバー、ゴルフボールホルダー、グリーンマーカー、キャディーバッグ等についても使用されてきた。
　上記商品は、需要者たる女性ゴルファーに対して確実に訴求するように、ゴルフ場のクラブハウス内ショップや百貨店のスポーツショップ等において販売されており、ゴルフ専門雑誌においても頻繁に商品が紹介されてきた。
　その結果、引用商標２は、本件各商標が登録出願された平成１８年１月２７日頃には、明石被服興業の業務に係る商品を表示するものとして、女性ゴルファーの間において広く認識されるに至っていた。
　そして、本件各商標と引用商標２は、「ＳＷＡＭＰ　ＴＯＵＲＳ」の欧文字を共通にする類似の商標であり、本件各商標の指定商品には引用商標２が使用されている商品が含まれている。
　したがって、本件各商標は、商標法第４条第１項第１０号に違反して登録されたものである。
　
（３）商標法第４条第１項第１５号について
　引用商標２は、女性用ゴルフウェアを主たる使用商品として、１９９６年の発売以来、女子プロゴルファーのみならず、プロ野球選手や女子アナウンサー等がゴルフ場外におけるカジュアルウェアとして着用している例が見られるなど、おしゃれでかわいいウェアとして好評を博してきた。
　本件各商標が登録出願された平成１８年１月２７日頃には、年間３億円程度の規模に成長していたから、女性用ゴルフウェアという極めて限定された商品分野においては知悉された存在になっていたものである。
　一方、本件商標１の指定商品中、女性用のポーチやボストンバッグ等は、ゴルフシーンにおいて必須の商品であることから、スポーツショップ店頭等においても扱われることになるが、そこでは女性用のゴルフウェアも一緒に販売されるのが通例である。
　また、本件商標２の指定商品は、主にスポーツショップ店頭等において扱われることになるが、そこでは女性用のゴルフウェアも一緒に販売されるのが通例である。
　そうとすれば、女性用ゴルフウェアとして需要者間において広く知られている引用商標２と実質的に同一商標といえる本件商標１をポーチ等のかばん類や袋物について使用した場合、あるいは、本件商標２をゴルフ用具に使用した場合、需要者においては、明石被服興業の業務に係る商品であるかのように誤認混同を生ずるおそれや、ひいてはライセンス元であるスワンプ等と何らかの契約関係を有するかのように誤認混同を生ずるおそれがある。
　したがって、本件各商標は、商標法第４条第１項第１５号に違反して登録されたものである。
　
７　むすび　
　以上述べたとおり、本件各商標は、商標法第４条第１項第７号、同第１０号又は同第１５号に違反して登録されたものであるから、同法第４６条第１項第１号によりその登録は無効とされるべきである。
　          　
第３　被請求人の答弁
　被請求人は、何ら答弁していない。
　          　
第４　当審の判断  
１　商標法第４条第１項第１５号について
（１）商標法第４条第１項第１５号は、「周知表示又は著名表示へのただ乗り（いわゆるフリーライド）及び当該表示の希釈化（いわゆるダイリューション）を防止し、商標の自他識別機能を保護することによって、商標を使用する者の業務上の信用の維持を図り、需要者の利益を保護することを目的とするものである」とされ、また「『混同を生ずるおそれ』の有無は、当該商標と他人の表示との類似性の程度、他人の表示の周知著名性及び独創性の程度や、当該商標の指定商品又は指定役務と他人の業務に係る商品又は役務との間の性質、用途又は目的における関連性の程度並びに商品又は役務の取引者及び需要者の共通性その他取引の実情などに照らし、当該商標の指定商品又は指定役務の取引者及び需要者において普通に払われる注意力を基準として、総合的に判断されるべきものである。」とされる（最高裁平成１２年７月１１日第三小法廷判決参照）。
　そこで、上記基準に沿って、本件各商標が、他人の業務に係る商品又は役務と混同を生ずるおそれがある商標であるか否かについて、以下検討する。
　
（２）本件各商標と引用商標２との類似性の程度
　本件各商標は、「ＳＷＡＭＰ　ＴＯＵＲＳ」の欧文字及び「スワンプツアーズ」の片仮名文字を二段に書してなるものであるから、その構成文字に相応して「スワンプツアーズ」の称呼を生ずる。
　一方、引用商標２は、「ＳＷＡＭＰ　ＴＯＵＲＳ」の欧文字よりなるものであるから、その構成文字に相応して「スワンプツアーズ」の称呼を生ずる。
　そうとすれば、本件各商標と引用商標２は、「スワンプツアーズ」の称呼を共通にする、称呼上類似する商標である。
　また、本件各商標と引用商標２は、「ＳＷＡＭＰ　ＴＯＵＲＳ」の欧文字部分を共通にするから外観上も類似する商標である。
　さらに、「ＳＷＡＭＰ　ＴＯＵＲＳ」は熟語ではないものの、「ＳＷＡＭＰ」は、「沼地」の意味を有する語として、また「ＴＯＵＲＳ」は、「周遊旅行」の意味を有する語「ＴＯＵＲ」の複数形として、いずれもよく知られている語であるから、本件商標構成中「ＳＷＡＭＰ　ＴＯＵＲＳ」の文字及びその字音と認められる「スワンプツアーズ」からは「沼地を巡る周遊旅行」程の観念を認識させる。
　また、引用商標２は、「ＳＷＡＭＰ　ＴＯＵＲＳ」の文字からなるものであるから、本件各商標と同様に「沼地を巡る周遊旅行」程の観念を認識させる。
　してみれば、本件商標と引用商標２とは、「沼地を巡る周遊旅行」の観念を共通にする商標である。
　したがって、本件各商標と引用商標２とは、外観、称呼及び観念のいずれにおいても類似しており類似性の程度が極めて高い商標である。
                                                      　
（３）引用商標２の周知著名性
ア　甲各号証によれば、以下の事実を認めることができる。
（ア）甲第１０号証は、「ＳＷＡＭＰ　ＴＯＵＲＳ」を表題とする冊子であるところ、２枚目表には「●展開内容」として、「対象　レディース（ゴルファー）」、「消費者特徴　ファッションに遊び心がある人」、「用途特徴　スポーティーカジュアル（ゴルフ）　タウン・リゾートカジュアル」、「展開アイテム　アウタージャケット　２０％　ニット　５％　カットソー　１５％　シャツ類　４５％　ボトム類　１５％　その他、ゴルフ雑貨、小物類あり」、「販路　専門店（ゴルフＳＨＯＰ、スポーツブティック等）　百貨店　その他（ホテルＳＨＯＰ、ゴルフ場ＳＨＯＰ等）」等と記載されている。
　また、２枚目裏には「ＳＷＡＭＰ ＴＯＵＲＳは女子プロゴルファーの市來美和さん／永井美里さんを応援しています。」と記載され、また、「スワンプ大好き！！」の吹き出しと共に、引用商標２が表示されたキャディーバッグと並んだ市來美和の写真及び引用商標２が表示されたキャディーバッグと並んだ永井美里の写真が掲載されている。
　さらに、３枚目表には、「●スワンプ展開ＳＨＯＰ」、「ＳＷＡＭＰ ＴＯＵＲＳ取り扱いゴルフ場」として、御前水ゴルフ倶楽部（北海道）をはじめとして、群馬県、千葉県、神奈川県、静岡県、石川県、奈良県、兵庫県、岡山県、愛媛県、香川県及び熊本県における２２ヶ所のゴルフ場が挙げられている。
　
（イ）甲第１１号証は、「ＴＨＥ ＷＯＲＬＤ ＯＦ　ＳＷＡＭＰ　ＴＯＵＲＳ　ｂｙ Ｇａｒｙ Ｃｌａｒｋ」を表題とする冊子であるところ、３枚目表には「ＳＷＡＭＰ ＴＯＵＲＳカジュアルウエア　販売概要」の項に、「デザイン、企画　ＳＷＡＭＰ ＰＲＯＤＵＣＴＩＯＮＳ ＰＴＹ ＬＴＤ　ＱＵＥＥＮＳＬＡＮＤ ＡＵＳＴＲＡＬＩＡ　作家　ＧＡＲＹ ＣＬＡＲＫ」、「製造、販売　明石被服興業株式会社」、「商品構成　キャラクターカジュアルウエア、衣料雑貨等」、「販売店舗　スワンプツアーズ横浜元町店　横浜市元町１−４２　ＴＥＬ　０４５−６４１−０９６０」、「販売開始　１９９６年８月２４日（土）」、「お問い合わせ先　明石被服興業株式会社　カジュアル衣料部」等の記載がある。
　また、３枚目裏には、「スワンプツアーズ横浜元町店」の店舗の写真が掲載されているところ、店外及び店内の看板には、引用商標２をやや図案化した商標が表示されている。
　　
（ウ）甲第１２号証の１枚目は、「ＳＷＡＭＰ ＴＯＵＲＳ　ゴルフ雑貨・小物　製造・販売実績　１（審決注：１は○で囲まれている）」「ＳＷＡＭＰ ＴＯＵＲＳ　ゴルフ雑貨・小物　製造・販売実績　２（審決注：２は○で囲まれている）」を表題とする冊子であるところ、１枚目表から裏にかけて、「２００２　ＳＰＲＩＮＧ　＆　ＳＵＭＭＥＲ」、「２００３　ＳＰＲＩＮＧ　＆　ＳＵＭＭＥＲ」、「２００３　ＦＡＬＬ　＆　ＷＩＮＴＥＲ」、「２００４　ＳＰＲＩＮＧ　＆　ＳＵＭＭＥＲ」、「２００４　ＦＡＬＬ　＆　ＷＩＮＴＥＲ」、「２００５　ＳＰＲＩＮＧ　＆　ＳＵＭＭＥＲ」、「２００６　ＳＰＲＩＮＧ　＆　ＳＵＭＭＥＲ」、「２００７　ＳＰＲＩＮＧ　＆　ＳＵＭＭＥＲ」、「２００７　ＦＡＬＬ　＆　ＷＩＮＴＥＲ」、「２００８　ＳＰＲＩＮＧ　＆　ＳＵＭＭＥＲ」の各項目が設けられ、その各項目の右側にキャディーバッグ、ボストンバッグ、キーホルダー、ヘッドカバー、ウエストポーチ、チョークバッグ、ペットボトルホルダー、クリップマーカー、ポーチ、ボールホルダー、ポケットマーカー、シューズケース等の商品の写真、品番、品名、値段、生産数量が掲載されている。
　同号証の２枚目ないし１０枚目は、「２００２　ＳＳ　ＳＷＡＭＰ ＴＯＵＲＳ　アイテム一覧表」（審決注：「ＳＳ」は、「ＳＰＲＩＮＧ　＆　ＳＵＭＭＥＲ」の意味であると思われる。以下同じ。）、「２００３　ＳＳ　ＳＷＡＭＰ ＴＯＵＲＳ　アイテム一覧表」、「２００３　ＦＷ　ＳＷＡＭＰ ＴＯＵＲＳ　アイテム一覧表」（審決注：「ＦＷ」は、「ＦＡＬＬ　＆　ＷＩＮＴＥＲ」の意味であると思われる。以下同じ。）、「２００４　ＳＳ　ＳＷＡＭＰ ＴＯＵＲＳ　アイテム一覧表」、「２００５　ＳＳ　ＳＷＡＭＰ ＴＯＵＲＳ　アイテム一覧表」、「２００６　ＳＳ　ＳＷＡＭＰ ＴＯＵＲＳ　アイテム一覧表」、「２００７　ＳＰＲＩＮＧ　＆　ＳＵＭＭＥＲ　ＳＷＡＭＰ ＴＯＵＲＳ　アイテム一覧表」、「２００７　ＦＡＬＬ　＆　ＷＩＮＴＥＲ　ＳＷＡＭＰ ＴＯＵＲＳ　アイテム一覧表」、「２００８　ＳＰＲＩＮＧ　＆　ＳＵＭＭＥＲ　ＳＷＡＭＰ ＴＯＵＲＳ　アイテム一覧表」を表題とする冊子であるところ、キャディーバッグ、ボストンバッグ、サンバイザー、クリップバイザー、ヘッドカバー、小物入れ、レインハット、レインスーツ、キャップ、ハイソックス、クリップマーカー、ウエストポーチ、チョークバッグ、ペットボトルホルダー、クリップマーカー、ポーチ、ボールホルダー、ポケットマーカー、シューズケース等の商品の写真、品番、品名、値段等が掲載されている。
　そして、当該キャディーバッグ、サンバイザー、クリップバイザー、キーホルダー、ボストンバッグ、ヘッドカバー、レインスーツ、クリップマーカー、ウエストポーチ、ポーチ等には、引用商標２が表示されている。
　
（エ）甲第１３号証は、１９９６年秋冬から２００８年秋冬までのＴシャツ、ポロシャツ、トレーナー、コート等についての「ＳＷＡＭＰ ＴＯＵＲＳ商品生産実績表」であるところ、の生産額は、１９９６年７月１ないし同年１２月３１日が、７０，３５２，５００円、１９９７年３月１日ないし同年６月５日が、４９，４５６，４００円、１９９７年７月１日ないし１９９８年４月１５日が、１４５，７２４，５００円、１９９８年１２月２６日ないし２００８年１１月１日が、２，２１４，４４５，９００円となっている。
　
（オ）甲第１５号証は、「２００８年５月１２日　ゴルフ場展開一例　ＳＷＡＭＰ ＴＯＵＲＳ　ゴルフウェア・ゴルフ雑貨（キャディーバッグ・ボストンバッグ等）販売」を表題とする冊子であるところ、２００８年５月１２日付けの１６ヶ所のゴルフ場内の店頭販売状況を示す写真、１９９７年４月、同年５月、同年９月、同年１２月付けのホテル、デパート等の店頭販売状況を示す写真及び１９９６年８月付けのスワンプツアーズ横浜元町店の店頭販売状況が掲載されており、これらの店舗の店外及び店内の看板、ゴルフウェアー等に引用商標２をやや図案化した商標が表示されている。
    　
（カ）甲第１６号証は、「プレス情報」を表題とする冊子である。
　１枚目表には、レジーナ（２００８年１１月２５日発行）の表紙と当該雑誌の１４１頁が表示されているところ、当該頁掲載のヘッドカバーには、引用商標２が記載されている。
　１枚目裏には、スーパーゴルフ（２００８年１０月１日発行）の表紙と当該雑誌の５１頁が表示されているところ、当該頁には、引用商標２が表示された服を着た女性が写っている。
　３枚目表には、週間ゴルフダイジェスト（２００８年８月１２日号）の表紙と当該雑誌の２０３頁が表示されているところ、当該頁には、引用商標２が表示された服を着た女性が写っている。　
　７枚目表には、週間ゴルフダイジェスト（２００８年３月２５日号）の表紙と当該雑誌の２６７頁が表示されているところ、当該頁には、引用商標２が表示された服が紹介されている。　
　８枚目裏には、チョイス（２００６年９月号）の表紙と当該雑誌の１７１頁が表示されているところ、当該頁には、「ＳＷＡＭＰ ＴＯＵＲＳ　マルチストライプ」の表題で、キャディバッグが写真と共に紹介されている。
　９枚目表には、ワッグル（２００４年１２月号）の表紙と当該雑誌の１９９頁が表示されているところ、当該頁には、「新ブランドの『スワンプツアーズ』でオシャレを楽しもう」「『スワンプツアーズ』は、オーストラリアのコミックから生まれた新しいブランド。かわいらしいウエアのほかに雑貨も○（審決注：判別不明）っていて、女性ゴルファーの間で人気急上昇中。」の記載があり、カーディガン、パンツ及びボールマーカーが写真と共に紹介されている。
  ９枚目裏には、週間パーゴルフ（２００４年６月８日号）の表紙と当該雑誌の２７４頁が表示されているところ、当該頁には、「スワンプツアーズ　明石被服興業」の記載があり、バイザー、ボタンアップシャツ及びショートスリーブシャツが写真と共に紹介されている。
　１０枚目表には、月刊ゴルフモード北海道（２００４年３月号）の表紙と当該雑誌の４頁が表示されているところ、当該頁には、引用商標２をやや図案化した商標の記載があり、セーター等が写真と共に紹介されている。
　１０枚目裏には、ゴルフダイジェスト（２００４年１月２０日号）の表紙と当該雑誌の１５３頁が表示されているところ、当該頁には、明石被服興業が、スワンプツアーズのキャディーバッグをプレゼントする旨が記載されている。
　１１枚目表には、「ＴＢＳ　ＡＮＮＯＵＮＣＥＲ　アナウンサー名鑑　２００４」の表紙と当該雑誌の６３頁が表示されているところ、当該頁には、女性アナウンサーと引用商標２が表示されたキャディーバッグが並んで写っている。
　１１枚目裏には、岡山ゴルフ情報（２００３年１２月号）の表紙と当該雑誌の１０１頁が表示されているところ、当該頁には、引用商標２が表示されたキャディーバッグが読者プレゼントとして紹介されている。
　１２枚目裏には、週刊ゴルフダイジェスト（２００３年８月１９・２６合併号）の表紙と当該雑誌の１５３頁が表示されているところ、当該頁には、スワンプツアーズのボールホルダーが読者プレゼントとして紹介されている。
　１３枚目裏には、週刊ゴルフダイジェスト（２００４年２月４日号）の表紙と当該雑誌の２１９頁が表示されているところ、当該頁には、「・・・『スワンプツアーズ』レディスシャツ３名に」の記載があり、女性用シャツ等が写真と共に紹介されている。
　１４枚目裏には、セサミ（１９９８年１２１号）の表紙と当該雑誌の１３８頁が表示されているところ、当該頁では、引用商標２をやや図案化した商標が表示された子供服が紹介されている。
     　
（キ）甲第１７号証は、タレント、アナウンサー、女子プロゴルファーなどが「ＳＷＡＭＰ ＴＯＵＲＳ」の文字が表示されたウェアを着用している写真の写し及び社団法人日本女子プロゴルフ協会のウエブサイトを印刷した書面であるところ、当該ウエブサイト中「土屋陽子」及び「永井美里」の「契約」項には、「ウェア：スワンプツアーズ」の記載がある。
　　　
（ク）甲第１８号証は、明石被服興業が、２００２年９月１０日から、２００８年３月１９日まで、それぞれ数日づつ、３０回にわたり、同社の本店及び支店で行った展示会開催の様子が掲載されている商品案内である。　
　同展示会で展示されているキャリーバッグ、スポーツジャケット、シャツ等には、引用商標２が表示されている。
　　　　　　　　　　　
（ケ）甲第１９号証は、ウエブサイトの写しであるところ、その３枚目から６枚目は、２００８年１１月１８日ないし同２１日付けの「スワンプツアーズ」によるブログを印刷した書面である。
　３枚目裏には、引用商標２が表示されたキャディバッグが写っている。　４枚目表には、「ＳＷＡＭＰ」及び「ＴＯＵＲＳ」の欧文字が記載された服を着た女子プロゴルファーと引用商標２が表示されたキャディバッグが並んで写っている。
　４枚目裏には、女子プロゴルファーと引用商標２が表示されたキャディーバッグが並んで写っている。　
　５枚目表には、引用商標２をやや図案化した商標が表示されたシューズバッグと引用商標２が表示されたボストンバッグが写っている。
　５枚目裏には、引用商標２が表示されたボールホルダーが写っている。
　６枚目表には、引用商標２が表示されたポーチが写っている。
　　　　　　　　　　
（コ）甲第２０号証の１ないし７は、「ＳＷＡＭＰ　ＴＯＵＲＳ」の「２００３　ＦＡＬＬ　＆　ＷＩＮＴＥＲ　」、「２００４　ＦＡＬＬ　＆　ＷＩＮＴＥＲ　」、「２００５　ＦＡＬＬ　＆　ＷＩＮＴＥＲ　」、「２００６　ＳＰＲＩＮＧ　＆　ＳＵＭＭＥＲ」、「２００６　ＦＡＬＬ　＆　ＷＩＮＴＥＲ　」、「２００７　ＳＰＲＩＮＧ　＆　ＳＵＭＭＥＲ」、「２００７　ＦＡＬＬ　＆　ＷＩＮＴＥＲ　」の商品紹介カタログで、主として女性用のゴルフウェアの写真が掲載されているところ、当該女性用ゴルフウェアの多くに引用商標２が表示されている。
　　　　　　　
（サ）甲第２１号証は、インターネット（Ｇｏｏｇｌｅ）でのスワンプツアーズの検索結果中１ないし１０件までの写しであるところ、そのうち８件には、「スワンプツアーズ」に関する商品の概略説明が記述されている。
  
イ　上記アで認定した事実及び請求人の主張によれば、明石被服興業は、１９９６年８月頃から２００８年１１月頃まで、継続して引用商標２等を使用した「女性用ゴルフウェア、ゴルフバッグ、ポーチ、ボストンバッグ、シューズケース、小物入れ、チョークバッグ、ウエストポーチ、ゴルフクラブ用ヘッドカバー、ゴルフボールホルダー、グリーンマーカー、キャディーバッグ」等を製造販売していたことが認められる。
　そして、引用商標２を使用した女性用ゴルフウェアについては、ゴルフの専門雑誌等での広告、女性プロゴルファーとの広告契約、展示会の開催及びゴルフ場・デパート・ホテル等での商品の販売が行われた結果、引用商標２は、本件各商標の登録出願時及び登録査定時において、明石被服興業の業務に係る商品を表示するものとして取引者、需要者の間に広く知られていたと認められる。
   　
（４）独創性の程度 
　引用商標２を構成する「ＳＷＡＭＰ ＴＯＵＲＳ」及び「スワンプツアーズ」の語から「沼地を巡る周遊旅行」程の観念を生ずることは、前記（２）で認定したとおりであるが、「ＳＷＡＭＰ ＴＯＵＲＳ」及び「スワンプツアーズ」は、熟語ではなく造語というべきであるからから、独創性の強い語であるというべきである。
　　     　
（５）本件商標の指定商品と引用商標２の使用に係る商品との関連性
　本件商標１の指定商品「札入れ，革製かばん，バックパック，通学用かばん，かばん類，革製スーツケース，キャリーバッグ，スーツケース，ハンドバッグ，買物袋，ブリーフケース，トランク，旅行かばん，登山用ザック，キーケース，携帯用化粧道具入れ，旅行用小型手提げかばん，車付き買物袋，スポーツバッグ，袋物」及び本件商標２の指定商品「ゴルフボール，ゴルフクラブ用シャフト，ゴルフティー，ゴルフクラブ用ヘッド，ゴルフクラブ用ヘッドカバー，ゴルフクラブのグリップ用プラスチックカバー，グリーンマーカー，キャディーバッグ，ゴルフ手袋，ゴルフクラブ用グリップ，ゴルフクラブ，ゴルフ用具，運動用具」と「女性用ゴルフウェア」は、いずれもファッションに関連し、比較的安価で日常的に購入される商品であって、用途において密接な関連性を有するものというべきであり、また、需要者、販売店を共通にする場合も多いというべきである。そして、その需要者は、老若男女を含む一般の消費者であり、商品に対する注意力もそれほど高いものではない。
　したがって、本件商標１の指定商品及び本件商標２の指定商品と「女性用ゴルフウェア」とは、関連性の程度が高い商品といえるものである。
　
（６）引用商標２へのただ乗り
　前記（４）で認定したとおり、「ＳＷＡＭＰ ＴＯＵＲＳ」及び「スワンプツアーズ」は、独創性の強い語であること及び請求人が商標権者である別掲（３）の構成からなる登録第３３６８６６５号商標と別掲（１）の構成からなる本件各商標とが同一の構成であることからすれば、被請求人が偶然に本件商標を採択したとは考えがたい。そして、引用商標２が、女性用ゴルフウェアについて、本件各商標の登録出願時及び登録査定時において、取引者、需要者の間に広く知られていたこと及び被請求人が、何ら答弁していないことをもあわせて勘案すると、本件各商標は、我が国における引用商標２の著名性、顧客吸引力等にただ乗りするものであると推認することができる。
   　
２　むすび
　以上によれば、本件各商標は、これをその指定商品に使用した場合には、これに接する取引者、需要者をして、引用商標２を連想、想起し、当該商品が請求人又は同人と経済的若しくは組織的に何らかの関係を有する者の業務に係る商品であるかのように、その出所について混同を生ずるおそれがあるものというべきである。
　したがって、本件各商標は、商標法第４条第１項第１５号に該当するものであるから、同法第４６条第１項の規定に基づき、その登録を無効にすべきものである。
　よって、結論のとおり審決する。